(57)【要約】【課題】  保留期間中に通話チャンネルが占有されることに起因した不具合を解消することである。【解決手段】  本電話システムは、電話機及び通信制御装置を有する。通信制御装置は、ネットワークを介して接続される上記電話機と他の電話機との間を中継してこれらの間の音声通信を制御するものである。上記電話機は、操作手段及び信号送信手段を有する。この信号送信手段は、上記他の電話機との音声通信期間中に操作手段が所定の保留操作を受けたときには通信制御装置へ保留信号を送信し、所定の保留操作を受けた後に操作手段が所定の保留解除操作を受けたときには、通信制御装置へ保留解除信号を送信する。また、通信制御装置は保留制御手段を有する。この保留制御手段は、上記電話機からの保留信号を受信したときには、該電話機側の音声通信を停止させ、該電話機からの保留解除信号を受信したときには、該電話機と上記他の電話機との間の音声通信を再開させる。【選択図】  図１
2006067048.tif 000002
【特許請求の範囲】
【請求項１】
操作手段を備えた電話機と、通信ネットワークを介して接続される該電話機と他の電話機との間を中継してこれらの間の音声通信を制御する通信制御装置とを備えた電話システムにおいて、
上記電話機は、上記他の電話機との音声通信期間中に上記操作手段が所定の保留操作を受けたときには上記通信制御装置へ保留信号を送信し、該所定の保留操作を受けた後に該操作手段が所定の保留解除操作を受けたときには、該通信制御装置へ保留解除信号を送信する信号送信手段を有し、
上記通信制御装置は、該電話機からの該保留信号を受信したときには、該電話機側の音声通信を停止させ、該電話機からの該保留解除信号を受信したときには、該電話機と該他の電話機との間の音声通信を再開させる保留制御手段を有することを特徴とする電話システム。
【請求項２】
通信ネットワークを介して接続される複数の電話機間を中継してこれらの間の音声通信を制御する通信制御装置において、
一の電話機からの保留信号を受信したときには、該一の電話機との間で音声通信していた他の電話機側の音声通信を維持しつつ該一の電話機側の音声通信を停止させ、該一の電話機からの保留解除信号を受信したときには、該一の電話機と該他の電話機との間の音声通信を再開させる保留制御手段を有することを特徴とする通信制御装置。
【請求項３】
請求項２の通信制御装置において、
保留音を記憶する保留音記憶手段を有し、
上記保留制御手段は、上記保留信号を受信したときには、該保留音記憶手段に記憶された保留音を再生して、その再生した保留音を上記他の電話機側の音声通信により送信し、上記保留解除信号を受信したときには、該保留音の再生を停止することを特徴とする通信制御装置。
【請求項４】
請求項３の通信制御装置において、
上記他の電話機に対して送信する保留音の再生設定を変更する再生設定変更手段を有し、
上記保留制御手段は、上記保留信号を受信したときには該再生設定に従って保留音を再生することを特徴とする通信制御装置。
【請求項５】
通信ネットワークを介して接続される複数の電話機間を中継してこれらの間の音声通信を制御する通信制御装置において、
一の電話機からの保留信号を受信したときには、該一の電話機との間で音声通信していた他の電話機と該一の電話機との対応関係を保持しつつ、該一の電話機側及び該他の電話機側の音声通信を停止させ、該一の電話機からの保留解除信号を受信したときには、保持した対応関係に基づいて該一の電話機と該他の電話機との間の音声通信を再開させる保留制御手段を有することを特徴とする通信制御装置。
【請求項６】
請求項５の通信制御装置において、
上記保留制御手段は、上記保留信号を受信したときには、上記他の電話機内に記憶された保留音を再生させるための再生制御信号を該他の電話機へ送信することを特徴とすることを特徴とする通信制御装置。
【請求項７】
請求項２、３、４、５又は６の通信制御装置において、
上記保留制御手段は、上記保留解除信号を受信したとき、上記一の電話機及び上記他の電話機以外の電話機からの発呼信号に優先して、該一の電話機と該他の電話機との間の音声通信を再開させることを特徴とする通信制御装置。
【請求項８】
操作手段を備えた電話機において、
他の電話機との音声通信期間中に上記操作手段が所定の保留操作を受けたときには、該他の電話機との間の通信ネットワーク中に介在した通信制御装置へ保留信号を送信し、該所定の保留操作を受けた後に該操作手段が所定の保留解除操作を受けたときには、該通信制御装置へ保留解除信号を送信する信号送信手段を有することを特徴とする電話機。
【請求項９】
請求項４の通信制御装置が有する上記再生設定変更手段に上記再生設定を変更させるための設定変更信号を、通信ネットワークを介して該通信制御装置へ送信する設定変更信号送信手段を有することを特徴とする電話機。
【請求項１０】
保留音を記憶する保留音記憶手段と、
請求項６の通信制御装置から送信された上記再生制御信号を受信したときには、該保留音記憶手段に記憶された保留音を再生する保留音再生手段とを有することを特徴とする電話機。
【発明の詳細な説明】
【技術分野】
【０００１】
本発明は、複数の電話機間を通信制御装置で中継してこれらの間の音声通信を実現する電話システム、並びに、このシステムに適用可能な通信制御装置及び電話機に関するものである。
【背景技術】
【０００２】
複数の電話機間で音声通信を行っている間に一の電話機の利用者によって所定の保留操作がされた場合、その音声通信を保留状態にする電話システムが広く知られている。このような電話システムは、固定電話機用のシステムに限らず、携帯電話機用のシステムにおいても同様に知られている。このような従来の電話システムにおいては、保留期間中であっても、これらの電話機間における音声通信が維持されるものであった。このため、保留期間中においても、これらの電話機間の音声通信のための通話チャンネルは占有されたままとなっていた。そのため、一般に、電話システムを管理する電話通信事業者は、保留期間中も通話料金の課金対象としていた。しかし、利用者からみると保留中は通話をしていないので、保留中についても課金対象とすることは、利用者の理解が得られないことがある。
【０００３】
特許文献１には、保留期間中の通話料金を課金の対象外とする課金方法について開示されている。この方法では、一の電話機に対して所定の保留操作がされると、その電話機から交換機に対して通話保留信号が送出される。これを受けた交換機は、その通話保留信号を検出した時刻を保留開始時刻として記憶する。また、その電話機に対して所定の保留解除操作がされると、その電話機から交換機に対して通話保留解除信号が送出される。これを受けた交換機は、その通話保留解除信号を検出した時刻を保留解除時刻として記憶する。そして、その保留開始時刻から保留解除時刻までの通話保留時間を保留期間とし、その時間に相当する通話料金分を、全通話時間（保留期間を含む）に応じて算出された通話料金から減算した額を利用者に請求する。
【０００４】
【特許文献１】特開平１１−１６８５８２号公報
【発明の開示】
【発明が解決しようとする課題】
【０００５】
ところが、上記課金方法においても、従来と同様に、保留期間中における電話機間の音声通信は維持されたままであるので、その音声通信のための通話チャンネルは占有されたままである。そのため、電話通信事業者にとっては、通話チャンネルが占有されているにも関わらず、その通話チャンネルについて料金を徴収できないという事態が発生してしまう。
一方、通話チャンネル数には限りがあるため、保留期間中のように利用者の通話には使用されていない無駄な音声通信によって通話チャンネルが占有されると、通話している他の利用者の通話品質が落ちたり、通話を必要とする他の利用者が通話できなくなったりするなど、他の利用者の通話を阻害するおそれがある。
【０００６】
本発明は、以上の背景に鑑みなされたものであり、その目的とするところは、保留期間中の音声通信によって通話チャンネルが占有されることに起因した不具合を解消することが可能な電話システム、通信制御装置及び電話機を提供することである。
【課題を解決するための手段】
【０００７】
上記目的を達成するために、請求項１の発明は、操作手段を備えた電話機と、通信ネットワークを介して接続される該電話機と他の電話機との間を中継してこれらの間の音声通信を制御する通信制御装置とを備えた電話システムにおいて、上記電話機は、上記他の電話機との音声通信期間中に上記操作手段が所定の保留操作を受けたときには上記通信制御装置へ保留信号を送信し、該所定の保留操作を受けた後に該操作手段が所定の保留解除操作を受けたときには、該通信制御装置へ保留解除信号を送信する信号送信手段を有し、上記通信制御装置は、該電話機からの該保留信号を受信したときには、該電話機側の音声通信を停止させ、該電話機からの該保留解除信号を受信したときには、該電話機と該他の電話機との間の音声通信を再開させる保留制御手段を有することを特徴とするものである。
また、請求項２の発明は、通信ネットワークを介して接続される複数の電話機間を中継してこれらの間の音声通信を制御する通信制御装置において、一の電話機からの保留信号を受信したときには、該一の電話機との間で音声通信していた他の電話機側の音声通信を維持しつつ該一の電話機側の音声通信を停止させ、該一の電話機からの保留解除信号を受信したときには、該一の電話機と該他の電話機との間の音声通信を再開させる保留制御手段を有することを特徴とするものである。
また、請求項３の発明は、請求項２の通信制御装置において、保留音を記憶する保留音記憶手段を有し、上記保留制御手段は、上記保留信号を受信したときには、該保留音記憶手段に記憶された保留音を再生して、その再生した保留音を上記他の電話機側の音声通信により送信し、上記保留解除信号を受信したときには、該保留音の再生を停止することを特徴とするものである。
また、請求項４の発明は、請求項３の通信制御装置において、上記他の電話機に対して送信する保留音の再生設定を変更する再生設定変更手段を有し、上記保留制御手段は、上記保留信号を受信したときには該再生設定に従って保留音を再生することを特徴とするものである。
また、請求項５の発明は、通信ネットワークを介して接続される複数の電話機間を中継してこれらの間の音声通信を制御する通信制御装置において、一の電話機からの保留信号を受信したときには、該一の電話機との間で音声通信していた他の電話機と該一の電話機との対応関係を保持しつつ、該一の電話機側及び該他の電話機側の音声通信を停止させ、該一の電話機からの保留解除信号を受信したときには、保持した対応関係に基づいて該一の電話機と該他の電話機との間の音声通信を再開させる保留制御手段を有することを特徴とするものである。
また、請求項６の発明は、請求項５の通信制御装置において、上記保留制御手段は、上記保留信号を受信したときには、上記他の電話機内に記憶された保留音を再生させるための再生制御信号を該他の電話機へ送信することを特徴とするものである。
また、請求項７の発明は、請求項２、３、４、５又は６の通信制御装置において、上記保留制御手段は、上記保留解除信号を受信したとき、上記一の電話機及び上記他の電話機以外の電話機からの発呼信号に優先して、該一の電話機と該他の電話機との間の音声通信を再開させることを特徴とするものである。
また、請求項８の発明は、操作手段を備えた電話機において、他の電話機との音声通信期間中に上記操作手段が所定の保留操作を受けたときには、該他の電話機との間の通信ネットワーク中に介在した通信制御装置へ保留信号を送信し、該所定の保留操作を受けた後に該操作手段が所定の保留解除操作を受けたときには、該通信制御装置へ保留解除信号を送信する信号送信手段を有することを特徴とするものである。
また、請求項９の発明は、請求項４の通信制御装置が有する上記再生設定変更手段に上記再生設定を変更させるための設定変更信号を、通信ネットワークを介して該通信制御装置へ送信する設定変更信号送信手段を有することを特徴とするものである。
また、請求項１０の発明は、保留音を記憶する保留音記憶手段と、請求項６の通信制御装置から送信された上記再生制御信号を受信したときには、該保留音記憶手段に記憶された保留音を再生する保留音再生手段とを有することを特徴とするものである。
【０００８】
請求項１の電話システムにおいては、電話機の利用者が操作手段に対して所定の保留操作を行うと、その電話機から通信制御装置へ保留信号が送信される。通信制御装置は、電話機からの保留信号を受信すると、その保留信号の送信元の電話機側の音声通信を停止させる。すなわち、保留信号の送信元の電話機と通信制御装置との間の音声通信を停止させる。これにより、少なくとも、この停止させた音声通信により占有されていた通信ネットワーク部分が開放され、この部分を他の利用者の音声通信に利用することが可能になる。
一方、保留した電話機の利用者が操作手段に対して所定の保留解除操作を行うと、その電話機から通信制御装置へ保留解除信号が送信される。通信制御装置は、電話機からの保留解除信号を受信すると、その保留解除信号の送信元の電話機と、その通話相手である他の電話機との間の音声通信を再開させる。これにより、これらの電話機間においては、保留前と同じように通話が可能になる。
【０００９】
なお、上記「電話機」としては、電話機機能を有する装置であればどのようなものであってもよく、例えば、ＩＰ（Internet Protocol）電話を含む一般の固定電話のほか、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の電話機が挙げられる。
【発明の効果】
【００１０】
以上、請求項１乃至８の発明によれば、その保留期間中おいてに、少なくとも保留信号の送信元の電話機と通信制御装置との間の音声通信によって占有されていた通信ネットワーク部分が開放され、この部分を他の利用者の音声通信に利用することが可能になるという優れた効果が奏される。その結果、電話通信事業者が保留期間中の通話料金について課金の対象外とした場合でも、その通信ネットワーク部分を他の利用者に使用させることで、その部分の料金徴収が可能となる。また、通信ネットワークの負荷が軽減され、他の利用者の通話を阻害することを抑制することもできる。
また、請求項９の発明によれば、保留された側の電話機に流れる保留音の再生設定を、電話通信事業者や、保留した側又は保留された側の電話機の利用者によって変更することが可能となるという優れた効果が奏される。
また、請求項１０の発明によれば、上述のように保留された側の電話機と通信制御装置との間の音声通信が停止していても、保留された側の電話機の受話器から保留音を流すことが可能となるという優れた効果が奏される。
【発明を実施するための最良の形態】
【００１１】
以下、本発明の実施形態を、図面を参照しながら説明する。
図２は、本実施形態に係る電話システムである携帯電話システムの全体構成を説明するための説明図である。
この携帯電話システムにおいて、利用者であるユーザーが使用する携帯電話機２０Ａ，２０Ｂは、通信ネットワークとしての携帯電話通信網に接続可能である。この携帯電話通信網内には、携帯電話機２０Ａが存在する地域に設置された基地局１１Ａと、携帯電話機２０Ｂが存在する地域に設置された基地局１１Ｂとが含まれている。各基地局１１Ａ，１１Ｂは、それぞれ通信制御装置としての交換機１２Ａ，１２Ｂに接続されており、各交換機１２Ａ，１２Ｂは有線通信網１０を介して互いに接続されている。なお、図２では、説明を簡略化するために、２つの基地局１１Ａ，１１Ｂ及び２つの交換機１２Ａ，１２Ｂのみ図示しているが、実際には各交換機１２Ａ，１２Ｂには図示しない他の基地局も複数接続されており、またこれらの交換機１２Ａ，１２Ｂ以外の図示しない他の交換機も有線通信網１０を介して複数接続されている。基地局１１Ａ，１１Ｂは、携帯電話機２０Ａ，２０Ｂとの間で無線通信を行い、交換機１２Ａ，１２Ｂとの間で有線通信を行う。交換機交換機１２Ａ，１２Ｂは、基地局１１Ａ，１２Ｂを介して携帯電話機２０Ａ，２０Ｂと通信を行うことができる。
【００１２】
図３は、上記交換機１２Ａ，１２Ｂのハードウェア構成を示す概略構成図である。なお、両交換機１２Ａ，１２Ｂの構成は同一であるので、以下、交換機１２Ａについてのみ説明する。
交換機１２Ａは、システムバス１００を介して、保留制御手段としての制御装置１０１、入力装置１０２、出力装置１０３、記憶装置１０４、有線通信網用通信装置１０５、携帯電話機用通信装置１０６等を備えている。制御装置１０１は、ＣＰＵ、ＲＡＭ、ＲＯＭ等で構成されており、各種制御プログラムを実行することで、有線通信網用通信装置１０５や携帯電話機用通信装置１０６の通信制御を行う。入力装置１０２は、オペレータが操作する操作ボタン等で構成されており、オペレータはその操作ボタン等に対して操作を行うことで、制御装置１０１の処理動作について設定変更することができる。出力装置１０３は、交換機１２Ａの動作状態をオペレータに報知するための報知パネルやスピーカ等で構成されており、オペレータその報知パネルを見たりスピーカからの報知音を聴いたりすることで、交換機１２Ａの動作状態を確認することができる。記憶装置１０４は、後述する保留音データを記憶している。有線通信網用通信装置１０５は、制御装置１０１の制御の下、有線通信網１０を介して他の交換機１２Ｂと通信を行うものである。携帯電話機用通信装置１０６は、制御装置１０１の制御の下、基地局１１Ａを介して携帯電話機２０Ａと通信を行うものである。
なお、この交換機１２Ａ，１２Ｂは、専用装置として構成してもいいし、汎用のコンピュータシステムを用いて構成してもよい。また、１台の装置で構成してもいいし、複数の機能をそれぞれ受け持つ複数台の装置をネットワークで結んで構成してもよい。
【００１３】
図４は、上記携帯電話機２０Ａ，２０Ｂの外観を示す正面図である。また、図５は、その携帯電話機２０Ａ，２０Ｂのハードウェア構成を示す概略構成図である。なお、両携帯電話機２０Ａ，２０Ｂの構成は同一であるので、以下、携帯電話機２０Ａについてのみ説明する。
携帯電話機２０Ａは、クラムシェル（折り畳み）タイプの携帯電話機である。この携帯電話機２０Ａは、システムバス２００、ＣＰＵ２０１、ＲＡＭ２０２やＲＯＭ２０３等からなる内部制御装置、入力装置２０４、表示手段としての表示装置２０５、音声出力手段としての音出力装置２０６及び無線通信装置２０７を備えている。
ＣＰＵ２０１やＲＡＭ２０２等の構成要素は、システムバス２００を介して、互いに各種データやプログラムの命令等のやり取りを行っている。上記入力装置２０４は、データ入力キー（テンキー、＊キー、＃キー）２１、通話開始キー２２、終話キー２３、スクロールキー２４及び多機能キー２５、並びに、音声入力手段としてのマイク２６などから構成されている。上記表示装置２０５は、液晶ディスプレイ（ＬＣＤ）２７及びそのドライバ等から構成されている。上記音出力装置２０６は、スピーカ２８及びそのドライバ等から構成されている。上記無線通信装置２０７は、基地局１１Ａを介して交換機１２Ａと通信を行うためのものである。
【００１４】
図６は、上記携帯電話機２０Ａの主要部を抽出して示したブロック図である。この携帯電話機２０Ａは、電話手段としての電話通信部２１１、データ通信手段としてのデータ通信部２１２、操作手段としての操作部２１３、主制御部２１５、出力部２１６、記憶部２１７等を備えている。
上記電話通信部２１１は、他の携帯電話機や固定電話機と電話通信を行うために基地局１１Ａを介して交換機１２Ａと無線通信を行うものであり、上述のハードウェア構成上の無線通信装置２０７等に対応する。
上記データ通信部２１２は、上記電話通信部２１１と同様に、上述のハードウェア構成上の無線通信装置２０７等に対応する。このデータ通信部２１２は、他の携帯電話機とメールのやり取りを行ったり、携帯電話通信網からゲートウェイサーバを介してインターネット等の外部の通信ネットワークに接続し、インターネット上での電子メールのやり取りやＷｅｂページの閲覧等を行ったりするためのものである。また、このデータ通信部２１２は、携帯電話通信網内のサーバ装置又はインターネット上のサーバ装置から、保留音データをダウンロードするためにも用いられる。
上記操作部２１３は、ユーザーが操作可能な上述のテンキー２１、通話開始キー２２、終話キー２３等で構成されている。この操作部２１３を操作することにより、ユーザーは、携帯電話機２０Ａに対し、電話番号を入力したり、ＵＲＬ等のデータを入力したり、電話着信の際に通話の開始及び終了を行ったりすることができる。
上記主制御部２１５は、上記電話通信部２１１や上記データ通信部２１２等を制御するものであり、上述のシステムバス２００、ＣＰＵ２０１やＲＡＭ２０２等で構成されている。この主制御部２１５は、上記電話通信部２１１等を制御するための制御用プログラムやユーザインターフェースを実行したりする。携帯電話機２０Ａを所定の手順に従って動作させる電話機プラットフォームを構築するための制御用プログラムは、ＲＡＭ２０２やＲＯＭ２０３に記憶されている。また、基本ＯＳ（オペレーティングシステム）のプログラムも、ＲＡＭ２０２やＲＯＭ２０３に記憶されている。そして、これらのプログラムは、必要に応じてＣＰＵ２０１やＲＡＭ２０２中の作業エリアに呼び出されて実行される。
上記出力部２１６は、上述のＬＣＤ２７等からなる表示装置２０５及びスピーカ２８等からなる音出力装置２０６などで構成されている。この出力部２１６は、主制御部２１５の制御の下、各種画面をＬＣＤ２７に表示する。例えば、上記データ通信部２１２で受信したＷｅｂページ画面や、ＲＡＭ２０２やＲＯＭ２０３等に記憶された画面データに基づく画面などを表示する。また、この出力部２１６のＬＣＤ２７には、上記電話通信部２１１やデータ通信部２１２で情報を着信した旨をユーザーに報知するときにも用いられる。具体的には、その情報を着信すると、主制御部２１５により、出力部２１６のＬＣＤ２７に着信報知画像を表示したり、外部スピーカから着信音を出力させたりする。
上記記憶部２１７は、上述のＲＡＭ２０２やＲＯＭ２０３等により構成されており、各種プログラムやデータが記憶されている。この記憶部２１７には、後述する保留期間中に本携帯電話機２０Ａのスピーカ２８から流す保留音のデータが記憶されている。
【００１５】
図７は、携帯電話機２０Ａのユーザーから携帯電話機２０Ｂのユーザーへ電話をかける際のシーケンスフロー図である。なお、携帯電話機２０Ｂのユーザーから携帯電話機２０Ａのユーザーへ電話をかける際も同様である。
まず、携帯電話機２０Ａのユーザーから携帯電話機２０Ｂのユーザーへ電話をかける場合、携帯電話機２０Ａのユーザーは、テンキー２１を使って携帯電話機２０Ｂの電話番号を入力し、通話開始キー２２を押すという発呼操作を行う（Ｓ２１）。この操作により、操作部２１３から主制御部２１５に対してキー操作信号を出力される。これを受信した主制御部２１５は、電話通信部２１１（無線通信装置２０７）から、制御チャンネルＡを使い、基地局１１Ａを介して交換機１２Ａへ「ＳＥＴＵＰ」信号を出力する（Ｓ２２）。なお、この制御チャンネルＡは、携帯電話機２０Ａの電源投入時に交換機１２Ａとの間で確立されるものであり、通話チャンネルＡが確立していない状態では、この制御チャンネルＡを用いて制御信号の通信が行われる。「ＳＥＴＵＰ」信号が交換機１２Ａの携帯電話機用通信装置１０６を介して制御装置１０１に受信されると、制御装置１０１は、制御チャンネルＡを使って、携帯電話機用通信装置１０６から「ＣＡＬＬ  ＰＲＯＣ」信号を出力する（Ｓ２３）。一方、交換機１２Ａの制御装置１０１は、上記「ＳＥＴＵＰ」信号を受信したら、有線通信網用通信装置１０５から有線通信網１０を介して交換機１２Ｂへ「ＩＡＭ」信号を出力する（Ｓ２４）。この「ＩＡＭ」信号が交換機１２Ｂの有線通信網用通信装置１０５を介して制御装置１０１に受信されると、その制御装置１０１は、「ＡＣＭ」信号を交換機１２Ａへ返すとともに（Ｓ２５）、携帯電話機２０Ｂとの間の制御チャンネルＢを使って、携帯電話機用通信装置１０６から基地局１１Ｂを介して携帯電話機２０Ｂへ「ＳＥＴＵＰ」信号を出力する（Ｓ２６）。この制御チャンネルＢも、携帯電話機２０Ｂの電源投入時に交換機１２Ｂとの間で確立され、通話チャンネルＢが確立していない状態では、この制御チャンネルＢを用いて制御信号の通信が行われる。「ＳＥＴＵＰ」信号が携帯電話機２０Ｂの電話通信部２１１（無線通信装置２０７）を介して主制御部２１５に受信されると、その主制御部２１５は、上記制御チャンネルＢを使い、電話通信部２１１から基地局１１Ｂを介して交換機１２Ｂへ「ＡＬＥＲＴ」信号を出力する（Ｓ２７）。「ＡＬＥＲＴ」信号を出力した携帯電話機２０Ｂは、出力部２１６において外部スピーカーから着信音を出力したり、ＬＣＤ２７に着信報知画像を表示したりする。携帯電話機２０Ｂからの「ＡＬＥＲＴ」信号が交換機１２Ｂの制御装置１０１に受信されると、その制御装置１０１は「ＣＰＧ」信号を交換機１２Ａへ出力する（Ｓ２８）。これを受信した交換機１２Ａは携帯電話機２０Ａに対して「ＡＬＥＲＴ」信号を出力する（Ｓ２９）。これを受信した携帯電話機２０Ａは、出力部２１６においてスピーカー２８から呼出音を出力する。
【００１６】
携帯電話機２０Ｂのユーザーが着信音や着信報知画像によって着信に気づき、通話開始キー２２を押すという通話開始操作を行うと（Ｓ３０）、その主制御部２１５は、電話通信部２１１から基地局１１Ｂを介して交換機１２Ｂへ「ＣＯＮＮ」信号を出力する（Ｓ３１）。この「ＣＯＮＮ」信号を受信した交換機１２Ｂは、「ＡＮＭ」信号を交換機１２Ａへ出力するとともに（Ｓ３２）、空いている通話チャンネルを使って携帯電話機２０Ｂとの間の通話チャンネルＢを確立し、音声通信を可能にする（Ｓ３３）。そして、その通話チャンネルＢの確立完了と同時に又はその確立完了後に制御チャンネルＢを切断する（Ｓ３３）。一方、この「ＡＮＭ」信号を受信した交換機１２Ａは、携帯電話機２０Ａに対して「ＣＯＮＮ」信号を出力するとともに（Ｓ３４）、空いている通話チャンネルを使って携帯電話機２０Ａとの間の通話チャンネルＡを確立し、音声通信を可能にする（Ｓ３５）。そして、その通話チャンネルＡの確立完了と同時に又はその確立完了後に制御チャンネルＡを切断する（Ｓ３５）。これにより、携帯電話機２０Ａと携帯電話機２０Ｂとの間で通話チャンネルＡ，Ｂを使った音声通信ができるようになり、すなわち音声通信期間が開始され、両ユーザーは互いに通話することができる。
【００１７】
〔保留動作例１〕
次に、本携帯電話システムを用いて、ユーザーが通話相手との通話中に所定の保留操作を行ったときの処理動作の一例（以下、本例を「保留動作例１」という。）について説明する。なお、本保留動作例１では、携帯電話機２０Ａのユーザーと携帯電話機２０Ｂのユーザーとの間で通話しているときに、携帯電話機２０Ａのユーザーが保留操作をした場合を例に挙げるが、携帯電話機２０Ｂのユーザーが保留操作をした場合も同様である。
【００１８】
図１は、本保留動作例１における保留処理動作のシーケンスフロー図である。
通話中において、携帯電話機２０Ａのユーザーが保留する場合、そのユーザーは保留ボタン（例えば通話開始キー２２）を押すという保留操作を行う（Ｓ１）。その操作により、操作部２１３から主制御部２１５に対してキー操作信号を出力される。このキー操作信号を受信した主制御部２１５は、電話通信部２１１とともに信号送信手段として機能し、電話通信部２１１から基地局１１Ａを介して交換機１２Ａへ保留信号としての「ＩＮＦＯ」信号を出力する（Ｓ２）。この「ＩＮＦＯ」信号には、交換機１２Ａに後述する保留制御処理を行わせるためのコードが割り当てられている。この「ＩＮＦＯ」信号が交換機１２Ａの携帯電話機用通信装置１０６を介して制御装置１０１に受信されると、制御装置１０１は、保留制御手段として機能し、携帯電話機２０Ａとの間の制御チャンネルＡを確立し、その確立完了と同時に又はその確立完了後に、携帯電話機２０Ａとの間の通話チャンネルＡを切断して携帯電話機２０Ａとの間の音声通信を停止する（Ｓ３）。以後、通話が再開されるまでは保留期間となる。そして、交換機１２Ａの制御装置１０１は、保留信号を受け取った旨を示す「ＩＮＦＯ（ＡＣＫ）」信号を、携帯電話機２０Ａに対して携帯電話機用通信装置１０６から返す（Ｓ４）。
【００１９】
交換機１２Ａからの「ＩＮＦＯ（ＡＣＫ）」信号を受信した携帯電話機２０Ａは、主制御部２１５により、記憶部２１７に記憶された保留音データを再生し（Ｓ５）、その保留音をスピーカ２８から出力する。これにより、保留操作を行ったユーザーは、自分の携帯電話機２０Ａのスピーカ２８から保留音を聴くことで、保留状態になったことを確認することができる。
一方、「ＩＮＦＯ（ＡＣＫ）」信号を出力した交換機１２Ａは、制御装置１０１により、保留音記憶手段としての記憶装置１０４に記憶されている保留音データを再生し、その保留音を、交換機１２Ｂを介して、現在も維持されている通話チャンネルＢを使って基地局１１Ｂから携帯電話機２０Ｂへ流す（Ｓ６）。これにより、携帯電話機２０Ｂのスピーカ２８からは、交換機１２Ａからの保留音が出力され、保留された側のユーザーは、自分の携帯電話機２０Ｂのスピーカ２８から出力される保留音を聴くことで、保留状態になったことを確認することができる。
【００２０】
一方、保留中において、携帯電話機２０Ａのユーザーが保留を解除する場合、そのユーザーは保留解除ボタン（例えば通話開始キー２２）を押すという保留解除操作を行う（Ｓ７）。なお、本携帯電話機２０Ａに加速度センサなどの振動検知手段、地磁気センサなどの姿勢検知手段、温度検知手段などの検知手段を設け、その検知結果に基づいてユーザーが保留を解除したことを予測して、保留解除操作が行われたとしてもよい。上記保留解除操作が行われると、操作部２１３から主制御部２１５に対してキー操作信号を出力される。このキー操作信号を受信した主制御部２１５は、交換機１２Ａとの間で確立されている制御チャンネルＡを使って、電話通信部２１１から基地局１１Ａを介して交換機１２Ａへ保留解除信号としての「ＳＥＴＵＰ」信号を出力する（Ｓ８）。この「ＳＥＴＵＰ」信号が交換機１２Ａの携帯電話機用通信装置１０６を介して制御装置１０１に受信されると、制御装置１０１は、上述した発呼処理の場合と同様に、携帯電話機用通信装置１０６から「ＣＡＬＬ  ＰＲＯＣ」信号を出力する（Ｓ９）。そして、制御装置１０１は、交換機１２Ｂへ「ＩＡＭ」信号を出力せずに、携帯電話機２０Ａに対して「ＡＬＥＲＴ」信号を出力し（Ｓ１０）、続けて携帯電話機２０Ａに対して「ＣＯＮＮ」信号を出力する（Ｓ１１）。そして、交換機１２Ａの制御装置１０１は、携帯電話機２０Ｂへ流していた保留音の再生を停止する（Ｓ１２）。また、交換機１２Ａの制御装置１０１は、空いている通話チャンネルを用いて携帯電話機２０Ａとの間の通話チャンネルＡを確立する通話再開処理を行う（Ｓ１３）。また、その通話チャンネルＡの確立完了と同時に又はその確立完了後に、携帯電話機２０Ａとの間の制御チャンネルＡを切断する（Ｓ１３）。
【００２１】
上記「ＣＯＮＮ」信号を受信した携帯電話機２０Ａにおいて、主制御部２１５は、保留音の再生を停止し（Ｓ１４）、スピーカ２８の出力を、保留音から、通話チャンネルＢを使って電話通信部２１１から受信される携帯電話機２０Ｂのユーザーの音声に切り換える。これにより、携帯電話機２０Ａと携帯電話機２０Ｂとの間で通話チャンネルＡ，Ｂを使った音声通信が再開され、両ユーザーは互いに通話することができる。
【００２２】
以上、本保留動作例１によれば、保留期間中、保留した側の携帯電話機２０Ａと交換機１２Ａとの間の通話チャンネルＡが切断されるため、その通話チャンネルＡが他者の音声通信に利用可能な状態になる。したがって、電話通信事業者が保留期間中を通話料金の課金対象外とする場合でも、その通話チャンネルＡが他者に利用されることで、その他者から料金徴収することが可能となる。また、このように保留期間中に通話チャンネルＡが開放されることで、少なくとも携帯電話機２０Ａと交換機１２Ａとの間の通信ネットワーク部分の負荷が軽減され、負荷による他者の通話品質が低下したり、他者の通話ができない状態になったりする事態を抑制することもできる。なお、本保留動作例１では、保留期間中、携帯電話機２０Ａと交換機１２Ａとの間は制御チャンネルＡで接続されているが、制御チャンネルＡは通話チャンネルＡに比べて負荷がはるかに少ない。したがって、保留期間中に通話チャンネルＡが接続されている場合に比べて、携帯電話機２０Ａと交換機１２Ａとの間の通信ネットワーク部分の負荷軽減を図ることができる。
【００２３】
なお、本保留動作例１では、保留信号として「ＩＮＦＯ」信号を用いたが、既存の他の信号又は新しく定義した信号を用いることも可能である。既存の信号としては、例えば通信チャンネルの切断に用いられる「ＤＩＳＣ」信号を、保留信号として用いることが可能である。この場合のシーケンスは図８に示すようになる。後述する保留動作例についても同様である。
また、本保留動作例１では、保留解除信号として「ＳＥＴＵＰ」信号を用いたが、既存の他の信号又は新しく定義した信号を用いることも可能である。既存の信号としては、例えば「ＩＮＦＯ（ｒｅｌｅａｓｅ）」信号を保留解除信号として用いることが可能である。後述する保留動作例についても同様である。
【００２４】
〔保留動作例２〕
次に、本携帯電話システムを用いて、ユーザーが通話相手との通話中に所定の保留操作を行ったときの処理動作の他の例（以下、本例を「保留動作例２」という。）について説明する。本保留動作例２では、保留期間中、保留した側の携帯電話機２０Ａと交換機１２Ａとの間の通話チャンネルＡだけでなく、保留された側の携帯電話機２０Ｂと交換機１２Ｂとの間の通話チャンネルＢも切断するものである。
【００２５】
図９は、本保留動作例２における保留処理動作のシーケンスフロー図である。
通話中に携帯電話機２０Ａのユーザーが保留操作を行うと（Ｓ１）、上記保留動作例１と同様に、電話通信部２１１から基地局１１Ａを介して交換機１２Ａへ保留信号としての「ＩＮＦＯ」信号を出力する（Ｓ２）。この「ＩＮＦＯ」信号が交換機１２Ａの携帯電話機用通信装置１０６を介して制御装置１０１に受信されると、制御装置１０１は、保留制御手段として機能し、上記保留動作例１と同様に、携帯電話機２０Ａとの間の制御チャンネルＡを確立し、その確立完了と同時に又はその確立完了後に携帯電話機２０Ａとの間の通話チャンネルＡを切断して携帯電話機２０Ａとの間の音声通信を停止する（Ｓ３）。そして、「ＩＮＦＯ（ＡＣＫ）」信号を携帯電話機２０Ａに対して携帯電話機用通信装置１０６から返す（Ｓ４）。
【００２６】
ここで、本保留動作例２においては、携帯電話機２０Ｂと交換機１２Ｂとの間の通話チャンネルＢも切断する。具体的には、「ＩＮＦＯ（ＡＣＫ）」信号を送信した交換機１２Ａは、携帯電話機２０Ａと携帯電話機２０Ｂとの対応関係を保持しつつ、携帯電話機２０Ｂと交換機１２Ｂとの間の通話チャンネルＢを切断する通話チャンネル切断処理を行う。この処理では、携帯電話機２０Ｂと交換機１２Ｂとの間の通話チャンネルＢを切断するための制御信号を交換機１２Ｂへ送信する（Ｓ５１）。この制御信号を受信した交換機１２Ｂは、携帯電話機２０Ｂと交換機１２Ｂとの間の制御チャンネルＢを確立し、その確立完了と同時に又はその確立完了後に携帯電話機２０Ｂとの間の通話チャンネルＢを切断する（Ｓ５２）。本保留動作例２では、携帯電話機２０Ａも携帯電話機２０Ｂも、保留期間中は制御チャンネルＡ，Ｂで各交換機１２Ａ，１２Ｂと接続されているので、携帯電話機２０Ａと携帯電話機２０Ｂとの対応関係は保持される。
【００２７】
このようにして通話チャンネル切断処理を終えた交換機１２Ａの制御装置１０１は、次に、有線通信網用通信装置１０５から有線通信網１０を介して交換機１２Ｂへ再生制御信号を出力する（Ｓ５３）。この再生制御信号が交換機１２Ｂの有線通信網用通信装置１０５を介して制御装置１０１に受信されると、その制御装置１０１は、上記制御チャンネルＢを使って携帯電話機用通信装置１０６から基地局１１Ｂを介して携帯電話機２０Ｂへ再生制御信号を出力する。この再生制御信号を受信した携帯電話機２０Ａは、主制御部２１５により、保留音記憶手段としての記憶部２１７に記憶された保留音データを再生し（Ｓ５４）、その保留音をスピーカ２８から出力する。これにより、保留された側のユーザーは、自分の携帯電話機２０Ｂのスピーカ２８から出力される保留音を聴くことで、保留状態になったことを確認することができる。
【００２８】
一方、保留中において、携帯電話機２０Ａのユーザーが保留解除操作を行うと（Ｓ７）、上記保留動作例１と同様に、上記制御チャンネルＡを使って、電話通信部２１１から基地局１１Ａを介して交換機１２Ａへ保留解除信号としての「ＳＥＴＵＰ」信号を出力する（Ｓ８）。この「ＳＥＴＵＰ」信号が交換機１２Ａの携帯電話機用通信装置１０６を介して制御装置１０１に受信されると、制御装置１０１は、上述した発呼処理の場合と同様に、携帯電話機用通信装置１０６から「ＣＡＬＬ  ＰＲＯＣ」信号を出力するとともに（Ｓ９）、本保留動作例２では交換機１２Ｂへ「ＩＡＭ」信号を出力する（Ｓ５５）。この「ＩＡＭ」信号が交換機１２Ｂの有線通信網用通信装置１０５を介して制御装置１０１に受信されると、その制御装置１０１は、「ＡＣＭ」信号を交換機１２Ａへ返すとともに（Ｓ５６）、上記制御チャンネルＢを使って携帯電話機用通信装置１０６から基地局１１Ｂを介して携帯電話機２０Ｂへ再生停止信号としての「ＳＥＴＵＰ」信号を出力する（Ｓ５７）。この「ＳＥＴＵＰ」信号を受信した携帯電話機２０Ｂの主制御部２１５は、交換機１２Ｂへ「ＡＬＥＲＴ」信号を出力する（Ｓ５８）。なお、この「ＡＬＥＲＴ」信号の出力は省略し、Ｓ５８〜Ｓ６０までの処理を省いてもよい。また、携帯電話機２０Ｂの主制御部２１５は、保留音の再生を停止し（Ｓ６１）、スピーカ２８の出力を、保留音から、通話チャンネルＢを使って電話通信部２１１から受信される携帯電話機２０Ｂのユーザーの音声に切り換える。その後、携帯電話機２０Ｂの主制御部２１５は、電話通信部２１１から基地局１１Ｂを介して交換機１２Ｂへ「ＣＯＮＮ」信号を出力する（Ｓ６２）。この「ＣＯＮＮ」信号を受信した交換機１２Ｂは、「ＡＮＭ」信号を交換機１２Ａへ出力するとともに（Ｓ６３）、空いている通話チャンネルを用いて携帯電話機２０Ｂとの間の通話チャンネルＢを確立して音声通信を可能にする（Ｓ６４）。また、その通話チャンネルＢの確立完了と同時に又はその確立完了後に、携帯電話機２０Ｂとの間の制御チャンネルＢを切断する（Ｓ６４）。
【００２９】
一方、この「ＡＮＭ」信号を受信した交換機１２Ａは、携帯電話機２０Ａに対して「ＣＯＮＮ」信号を出力するとともに（Ｓ６５）、空いている通話チャンネルを用いて携帯電話機２０Ａとの間の通話チャンネルＡを確立して音声通信を可能にする（Ｓ６６）。また、その通話チャンネルＡの確立完了と同時に又はその確立完了後に、携帯電話機２０Ａとの間の制御チャンネルＡを切断する（Ｓ６６）。一方、この「ＣＯＮＮ」信号を受信した携帯電話機２０Ａにおいて、主制御部２１５は、保留音の再生を停止し（Ｓ１４）、スピーカ２８の出力を、保留音から、通話チャンネルＡを使って電話通信部２１１から受信される携帯電話機２０Ｂのユーザーの音声に切り換える。これにより、携帯電話機２０Ａと携帯電話機２０Ｂとの間で通話チャンネルＡ，Ｂを使った音声通信が再開され、両ユーザーは再び互いに通話することができるようになる。
【００３０】
以上、本保留動作例２によれば、保留期間中、保留した側の携帯電話機２０Ａと交換機１２Ａとの間の通話チャンネルＡだけでなく、保留された側の携帯電話機２０Ｂと交換機１２Ｂとの間の通話チャンネルＢも切断されるため、これらの通話チャンネルＡ，Ｂが他者の音声通信に利用可能な状態になる。したがって、電話通信事業者が保留期間中の通話料金について課金の対象外とする場合でも、これらの通話チャンネルＡ，Ｂを他者が利用することでその他者から料金徴収することが可能となる。また、このように保留期間中にこれらの通話チャンネルＡ，Ｂが開放されることで、両携帯電話機２０Ａ，２０Ｂと交換機１２Ａ，１２Ｂとの間の通信ネットワーク部分の負荷が軽減され、負荷による他者の通話品質が低下したり、他者の通話ができない状態になったりする事態を抑制することもできる。
【００３１】
なお、本保留動作例２では、保留期間中も各携帯電話機２０Ａ，２０Ｂの制御チャンネルＡ，Ｂを維持することで、両者の対応関係を保持する例について説明したが、他の方法で両者の対応関係を保持してもよい。例えば、各携帯電話機２０Ａ，２０Ｂを特定できる情報（電話番号等）を交換機１２Ａ，１２Ｂの記憶装置１０４に記憶しておくことで、保留中の携帯電話機２０Ａ，２０Ｂの対応関係を保持してもよい。この場合、保留期間中も各携帯電話機２０Ａ，２０Ｂの制御チャンネルＡ，Ｂを切断することが可能となり、より通信ネットワークの負担軽減を図ることができる。
【００３２】
また、上述した保留動作例１及び保留動作例２において、保留を解除する際に交換機が携帯電話機との通話チャンネルを確立するとき、空いている通話チャンネルが無い場合には、携帯電話機を空きができるまで待ち状態にする。複数の携帯電話機が待ち状態にある場合、交換機の制御装置は、通常、待ち時間の長い携帯電話機を優先して通話チャンネルを確立するが、保留解除に係る携帯電話機を、発呼に係る携帯電話機に優先して通話チャンネルを確立するようにしてもよい。
【００３３】
また、上述した保留動作例１及び保留動作例２においては、ＴＤＭＡ方式の携帯電話機に利用される移動体通信システムを例に挙げて説明したが、ＣＤＭＡ方式の携帯電話機に利用される移動体通信システムであっても同様である。なお、ＴＤＭＡ方式において、「通話チャンネルを確立する」とは、音声等の伝送用に新規のタイムスロットを割り当てることを意味し、「通話チャンネルを切断する」とは、そのタイムスロットの使用をやめてそのタイムスロットを他者の通信に利用可能にすることを意味する。制御チャンネルについても同様である。一方、ＣＤＭＡ方式において、「通話チャンネルを確立する」とは、音声等の伝送用に新規の拡散符号を割り当てることを意味し、「通話チャンネルを切断する」とは、その拡散符号の使用をやめてその拡散符号を他者の通信に利用可能にすることを意味する。制御チャンネルについても同様である。
【００３４】
〔再生設定変更例〕
次に、保留音の再生設定の変更処理の一例（本例を「再生設定変更例」という。）について説明する。
上記保留動作例１において、保留された側の携帯電話機２０Ｂから流す保留音は、交換機１２Ａの記憶装置１０４に記憶された保留音データに基づくものである。本再生設定変更例では、交換機１２Ａにおける保留音の再生設定を、保留した側の携帯電話機２０Ａのユーザーの要望に応じて変更することができる例について説明する。
【００３５】
図１０は、本再生設定変更例に係る処理を行うための携帯電話システムの全体構成を説明するための説明図である。この携帯電話システムは、有線通信網１０に保留音サーバ１３が接続されている点が相違することを除いて、図２に示した携帯電話システムと同様の構成であるため、以下、その相違点についてのみ説明する。なお、本再生設定変更例では、交換機１２Ａ，１２Ｂ及び保留音サーバ１３によって、通信制御装置が構成される。
【００３６】
図１１は、上記保留音サーバ１３のハードウェア構成を示す概略構成図である。
この保留音サーバ１３は、システムバス３００、ＣＰＵ３０１、内部記憶装置、外部記憶装置３０４、入力装置３０５及び出力装置３０６を備えている。上記内部記憶装置は、ＲＡＭ３０２やＲＯＭ３０３等で構成されている。上記外部記憶装置３０４は、ハードディスクドライブ（ＨＤＤ）や光ディスクドライブ等で構成されている。上記入力装置３０５は、マウスやキーボード等で構成されている。上記出力装置３０６は、ディスプレイやプリンタ等で構成されている。更に、この保留音サーバ１３は、上記有線通信網１０を介して、信号やデータの送受信を行う通信装置３０７も備えている。
上記ＣＰＵ３０１やＲＡＭ３０２等の構成要素は、システムバス３００を介して、互いにデータやプログラムの命令等のやり取りを行う。この保留音サーバ１３を所定の手順に従って動作させるためのプログラムは、ＲＯＭ３０３や外部記憶装置３０４に記憶されており、必要に応じてＣＰＵ３０１やＲＡＭ３０２上の作業エリアに呼び出されて実行される。また、この保留音サーバ１３には、保留された側の携帯電話機２０Ｂに流すための保留音のデータが外部記憶装置３０４に記憶されている。保留音サーバ１３は、後述するように交換機１２Ａからのリクエストに応じ、ＣＰＵ３０１、ＲＡＭ３０２、通信装置３０７等が協働して、外部記憶装置３０４に記憶されている保留音データを有線通信網１０を介して交換機１２Ａに送信する機能を有している。
【００３７】
図１２は、本再生設定変更例に係る再生設定変更処理のシーケンスフロー図である。
相手に保留されたときに自分が聴く保留音の再生設定を行う場合、まず、ユーザーは、携帯電話機２０Ｂの操作部２１３に対して所定の操作を行い、ブラウザを起動して保留音サーバ１３にアクセスする。そうすると、ブラウザを実行する主制御部２１５は、保留音サーバ１３に対してリクエストを送信する（Ｓ７１）。このリクエストが有線通信網１０を介して保留音サーバ１３に受信されると、保留音サーバ１３は、そのリクエストに係る保留音選択画面のデータを、リクエストの送信元である携帯電話機２０Ｂに向けて送信する（Ｓ７２）。このレスポンスが有線通信網１０を介して携帯電話機２０Ｂに受信されると、携帯電話機２０Ｂの主制御部２１５は、その保留音選択画面データに基づいてＬＣＤ２７上に保留音選択画面を表示する（Ｓ７３）。
【００３８】
上記保留音選択画面には、ユーザーが選択可能な複数の保留音の名前が表示されている。ユーザーは、この保留音選択画面を閲覧し、操作部２１３を操作して、相手に保留されたときに自分が聴きたい保留音の名前を選択する（Ｓ７４）。この選択を行ったら、主制御部２１５は、データ通信部２１２とともに設定変更信号送信手段として機能し、その選択内容を示す保留音選択信号及び携帯電話機２０Ｂを特定するための電話機特定情報（電話番号等）がリクエストとともに保留音サーバ１３へ送信される（Ｓ７５）。このリクエストを受けた保留音サーバ１３のＣＰＵ３０１等は、再生設定変更手段として機能し、そのリクエストに含まれる保留音選択信号により特定される保留音を、そのリクエストに含まれる電話機特定情報に関連づけて外部記憶装置３０４に記憶する再生設定の変更処理を行う（Ｓ７６）。すなわち、本再生設定変更例では、保留音選択信号及び電話機特定情報が設定変更信号である。その後、保留音サーバ１３は、レスポンスとして、携帯電話機２０Ｂに向けて、保留音の再生設定の変更が完了した旨の確認画面を送信する（Ｓ７７）。このレスポンスが有線通信網１０を介して携帯電話機２０Ｂに受信されると、携帯電話機２０Ｂの主制御部２１５は、その確認画面データに基づいてＬＣＤ２７上に確認画面を表示する（Ｓ７８）。
【００３９】
交換機１２Ａの保留音再生処理においては、その交換機１２Ａから、保留された側の携帯電話機２０Ｂの電話機特定情報をリクエストとともに保留音サーバ１３へ送信する（Ｓ７９）。このリクエストを受けた保留音サーバ１３は、そのリクエストに含まれる電話機特定情報に関連付けられた保留音のデータを、外部記憶装置３０４から読み出す。そして、その保留音データをレスポンスとして交換機１２Ａに向けて送信する（Ｓ８０）。このレスポンスを受信した交換機１２Ａは、制御装置１０１により、そのレスポンスに含まれる保留音データを再生し（Ｓ８１）、その保留音を、交換機１２Ｂを介して、保留中も維持されている通話チャンネルＢを使って基地局１１Ｂから携帯電話機２０Ｂへ流す。これにより、携帯電話機２０Ｂのスピーカ２８からは、自分が選んだ保留音が出力される。
【００４０】
以上、本再生設定変更例によれば、保留された側の携帯電話機２０Ｂのユーザーの希望に応じた保留音を流すことができる。
なお、本再生設定変更例では、保留音サーバ１３を交換機１２Ａ，１２Ｂとは別体とし、有線通信網１０を介して接続する構成について説明したが、保留音サーバ１３の構成を交換機１２Ａ，１２Ｂに付加して、これらを一体の装置として構成してもよい。
また、本再生設定変更例では、保留音の種類を変更する場合を例に挙げて説明したが、保留音の音量や再生スピードなどの他の再生設定を変更できるようにしてもよい。
また、本再生設定変更例では、保留された側の携帯電話機２０Ｂのユーザーが、自分の聴く保留音を自分の好みに応じて変更できる場合について説明したが、保留した側の携帯電話機２０Ａのユーザーが、相手（保留された側の携帯電話機２０Ｂのユーザー）の聴く保留音を自分の好みに応じて変更することも、同様に可能である。また、保留した側の携帯電話機２０Ａのユーザーが、その通話相手ごとに個別に保留音の再生設定を変更することも可能である。この場合、例えば、携帯電話機２０Ａから保留音選択信号を保留音サーバ１３へ送信する際に、その携帯電話機２０Ａの電話機特定情報のほか、相手方の携帯電話機２０Ｂの電話機特定情報も一緒に送信する。そして、これを受けた保留音サーバ１３は、両電話機特定情報に関連付けられた保留音データを外部記憶装置３０４から読み出し、これをレスポンスとして交換機１２Ａに向けて送信する。
また、電話通信事業者のオペレータが、保留音サーバ１３の入力装置３０５を操作して保留音の再生設定を変更するようにしてもよい。
【００４１】
以上のように、本実施形態の携帯電話システムは、操作手段としての操作部２１３を備えた電話機である携帯電話機２０Ａと、通信ネットワークである携帯電話通信網を介して接続される携帯電話機２０Ａと他の電話機である携帯電話機２０Ｂとの間を中継してこれらの間の音声通信を制御する通信制御装置としての基地局１１Ａ，１１Ｂ及び交換機１２Ａ，１２Ｂとを備えている。この携帯電話システムにおいて、携帯電話機２０Ａは、携帯電話機２０Ｂとの音声通信期間中に操作部２１３が所定の保留操作を受けたときには交換機１２Ａへ保留信号を送信し、その保留操作を受けた後に操作部２１３が所定の保留解除操作を受けたときには、交換機１２Ａへ保留解除信号を送信する信号送信手段としての電話通信部２１１及び主制御部２１５を有する。また、交換機１２Ａは、携帯電話機２０Ａからの保留信号を受信したときには、携帯電話機２０Ａ側の音声通信を停止させ、携帯電話機２０Ａからの保留解除信号を受信したときには、携帯電話機２０Ａと携帯電話機２０Ｂとの間の音声通信を再開させる保留制御手段としての制御装置１０１を有する。これにより、上記保留動作例１や上記保留動作例２で述べたように、電話通信事業者が保留期間中を通話料金の課金対象外とする場合でも、その保留期間中に開放された通話チャンネルが他者に利用されることで、その他者から料金徴収することが可能となる。また、このように保留期間中に通話チャンネルが開放されることで、携帯電話通信網の少なくとも一部の負荷が軽減され、負荷による他者の通話品質が低下したり、他者の通話ができない状態になったりする事態を抑制することもできる。
【００４２】
また、上記保留動作例１の通信制御装置は、一の電話機である携帯電話機２０Ａからの保留信号を受信したときには、携帯電話機２０Ａとの間で音声通信していた他の電話機である携帯電話機２０Ｂ側の音声通信を維持しつつ携帯電話機２０Ａ側の音声通信を停止させ、携帯電話機２０Ａからの保留解除信号を受信したときには、携帯電話機２０Ａと携帯電話機２０Ｂとの間の音声通信を再開させる保留制御手段としての制御装置１０１を有する。この通信制御装置においては、携帯電話機２０Ａからの保留信号を受信すると、その携帯電話機２０Ａ側の音声通信を停止させる。すなわち、その携帯電話機２０Ａと本通信制御装置との間の音声通信を停止させる。これにより、この音声通信により占有されていた通信ネットワーク部分が開放され、この部分を別の音声通信に利用することが可能になる。ここで、本通信制御装置では、携帯電話機２０Ａの通話相手である携帯電話機２０Ｂ側の音声通信、すなわち、携帯電話機２０Ｂと本通信制御装置との間の音声通信については維持される。これにより、携帯電話機２０Ａからの保留解除信号を受信して携帯電話機２０Ａと携帯電話機２０Ｂとの間の音声通信を再開するにあたり、携帯電話機２０Ｂと本通信制御装置との間の音声通信を改めて確立する必要がなくなる。したがって、携帯電話機２０Ａと携帯電話機２０Ｂとの間の音声通信の再開処理を迅速化することが可能となる。
【００４３】
特に、上記保留動作例１の通信制御装置は、保留音を記憶する保留音記憶手段としての記憶装置１０４を有し、制御装置１０１により、上記保留信号を受信したときには、記憶装置１０４に記憶された保留音を再生して、その再生した保留音を携帯電話機２０Ｂ側の音声通信により送信し、上記保留解除信号を受信したときには、その保留音の再生を停止する。従来の電話システムでは、保留した側の携帯電話機２０Ａ内に記憶された保留音を音声通信により送信し、これを本通信制御装置を介して保留された側の携帯電話機２０Ｂの受話器から流すものであった。しかし、本実施形態の携帯電話システムは、保留期間中、保留した側の携帯電話機２０Ａと本通信制御装置との間の音声通信を停止するので、従来の電話システムのように保留した側の携帯電話機２０Ａから保留音を送信することができない。よって、保留された側の携帯電話機２０Ｂの受話器から保留音を流すための新たな手段が必要になる。そこで、本保留動作例１では、保留した側の携帯電話機２０Ａからの保留信号を受信したとき、記憶装置１０４に記憶された保留音を再生し、これを保留された側の携帯電話機２０Ｂへ送信する。これにより、保留期間中に、保留した側の携帯電話機２０Ａと本通信制御装置との間の音声通信が停止していても、保留された側の携帯電話機２０Ｂの受話器から保留音を流すことができる。
【００４４】
また、上記再生設定変更例で説明したように、上記通信制御装置は、携帯電話機２０Ｂに対して送信する保留音の再生設定を変更する再生設定変更手段としての制御装置１０１を有し、制御装置１０１により、上記保留信号を受信したときにはその再生設定に従って保留音を再生する。この通信制御装置においては、保留された側の携帯電話機２０Ｂへ送信する保留音の再生設定を変更することができる。これにより、保留音の再生設定変更を、本通信制御装置を管理する電話通信事業者が行えるようにしたり、保留した側の携帯電話機２０Ａのユーザーが行えるようにしたり、保留された側の携帯電話機２０Ｂのユーザーが行えるようにしたりすることが可能となる。なお、保留した側又は保留された側の携帯電話機２０Ａ，２０Ｂのユーザーにより設定変更できるようにする場合、上述した再生設定変更例で説明したように、例えば、その携帯電話機から送信された設定変更信号を携帯電話通信網を介して受信し、その設定変更信号に基づいて再生設定を変更するように構成すればよい。このように保留した側又は保留された側の携帯電話機２０Ａ，２０Ｂのユーザーにより保留音の再生設定を変更できるようにすれば、そのユーザーの希望に応じた設定で保留音を流すことができるようになる。特に、従来は保留した側の携帯電話機２０Ａ内に記憶された保留音が流れるものであったため、保留した側の携帯電話機２０Ａのユーザーの希望に応じた設定で保留音を流すことはできても、保留された側の携帯電話機２０Ｂのユーザーの希望に応じた設定で保留音を流すことはできなかったが、本通信制御装置によれば、保留された側の携帯電話機２０Ｂのユーザーの希望に応じた設定で保留音を流すことが可能になる。
【００４５】
また、上記保留動作例２の通信制御装置は、一の電話機である携帯電話機２０Ａからの保留信号を受信したときには、携帯電話機２０Ａとの間で音声通信していた他の電話機である携帯電話機２０Ｂと携帯電話機２０Ａとの対応関係を保持しつつ、携帯電話機２０Ａ側及び携帯電話機２０Ｂ側の音声通信を停止させ、携帯電話機２０Ａからの保留解除信号を受信したときには、保持した対応関係に基づいて携帯電話機２０Ａと携帯電話機２０Ｂとの間の音声通信を再開させる保留制御手段としての制御装置１０１を有する。この通信制御装置においては、携帯電話機２０Ａからの保留信号を受信すると、その携帯電話機２０Ａ側の音声通信だけでなく、その通話相手である携帯電話機２０Ｂ側の音声通信も停止させる。すなわち、携帯電話機２０Ａと本通信制御装置との間の音声通信とともに、携帯電話機２０Ｂと本通信制御装置との間の音声通信も停止させる。これにより、これらの音声通信により占有されていた各通信ネットワーク部分が開放され、これらの部分を別の音声通信に利用することが可能になる。ここで、本通信制御装置は、その保留期間中、音声通信は停止しても、携帯電話機２０Ａと携帯電話機２０Ｂとの対応関係は保持している。よって、携帯電話機２０Ａからの保留解除信号を受信したときに、保留前にその携帯電話機２０Ａと音声通信していた携帯電話機２０Ｂを特定することができる。よって、携帯電話機２０Ａからの保留解除信号を受信したときに、携帯電話機２０Ａと携帯電話機２０Ｂとの間の音声通信を改めて確立して、これらの間の音声通信を再開させることができる。
【００４６】
特に、上記保留動作例２の通信制御装置は、制御装置１０１により、上記保留信号を受信したときには、携帯電話機２０Ｂ内に記憶された保留音を再生させるための再生制御信号を携帯電話機２０Ｂへ送信する。上記保留動作例２の通信制御装置を用いる場合、保留期間中、その通信制御装置と保留された側の携帯電話機２０Ｂとの間の音声通信も停止されるため、保留した側の携帯電話機２０Ａ内に記憶された保留音や、その通信制御装置内に記憶された保留音を、保留された側の携帯電話機２０Ｂで流すことができない。そのため、通信制御装置と保留された側の携帯電話機２０Ｂとの間の音声通信が停止していても、保留された側の携帯電話機２０Ｂで保留音を流すための新たな手段が必要になる。そこで、本保留動作例２では、保留した側の携帯電話機２０Ａからの保留信号を受信したとき、保留された側の携帯電話機２０Ｂに再生制御信号を送信する。保留された側の携帯電話機２０Ｂが、この再生制御信号により内部に記憶された保留音を再生できる構成であれば、保留期間中に、保留された側の携帯電話機２０Ｂと本通信制御装置との間の音声通信が停止していても、保留された側の携帯電話機２０Ｂの受話器から保留音を流すことができる。
【００４７】
また、上述したように、上記保留動作例１及び上記保留動作例２の通信制御装置は、制御装置１０１により、上記保留解除信号を受信したとき、携帯電話機２０Ａ及び携帯電話機２０Ｂ以外の電話機からの発呼信号に優先して、携帯電話機２０Ａと携帯電話機２０Ｂとの間の音声通信を再開させるようにしてもよい。
【００４８】
また、上記保留動作例１及び上記保留動作例２の携帯電話機２０Ａは、他の電話機である携帯電話機２０Ｂとの音声通信期間中に操作部２１３が所定の保留操作を受けたときには、携帯電話機２０Ｂとの間の通信ネットワーク中に介在した通信制御装置へ保留信号を送信し、その保留操作を受けた後に操作部２１３が所定の保留解除操作を受けたときには、その通信制御装置へ保留解除信号を送信する信号送信手段としての電話通信部２１１及び主制御部２１５を有する。この携帯電話機２０Ａは、本実施形態の携帯電話システムにおける保留する側の携帯電話機として利用されることで、その保留期間中において、少なくとも本携帯電話機２０Ａと通信制御装置との間の音声通信によって占有されていた通信ネットワーク部分を開放し、この部分を他の利用者の音声通信に利用させることを可能にする。
【００４９】
また、上記再生設定変更例で説明したように、携帯電話機２０Ｂは、通信制御装置が有する再生設定変更手段としての制御装置１０１に再生設定を変更させるための設定変更信号を、通信ネットワークを介して通信制御装置へ送信する設定変更信号送信手段としての主制御部２１５及びデータ通信部２１２を有する。この携帯電話機２０Ｂは、上記再生設定変更例の通信制御装置とともに利用されることで、その通信制御装置へ設定変更信号を送信することにより、保留された側の携帯電話機２０Ｂへ送信される保留音の再生設定を変更することができる。なお、保留した側の携帯電話機２０Ａであっても同様である。
【００５０】
また、上記保留動作例２で説明したように、携帯電話機２０Ｂは、保留音を記憶する保留音記憶手段としての記憶部２１７と、上記保留動作例２の通信制御装置から送信された上記再生制御信号を受信したときには、その記憶部２１７に記憶された保留音を再生する保留音再生手段としての主制御部２１５を有する。この携帯電話機２０Ｂにおいては、上記保留動作例２の通信制御装置とともに利用されることで、保留期間中に、本携帯電話機２０Ｂと通信制御装置との間の音声通信が停止していても、本携帯電話機２０Ｂの受話器から保留音を流すことができる。
【００５１】
なお、本発明は、携帯電話機のほか、ＰＨＳ、自動車電話機、固定電話機等の電話機についての電話システムにも適用でき、同様な効果が得られるものである。
【図面の簡単な説明】
【００５２】
【図１】実施形態の携帯電話システムにおける保留動作例１のシーケンスフロー図。
【図２】同携帯電話システムの全体構成を説明するための説明図。
【図３】同携帯電話システムを構成する交換機のハードウェア構成を示す概略構成図。
【図４】同携帯電話システムを構成する携帯電話機の外観を示す正面図。
【図５】同携帯電話機のハードウェア構成を示す概略構成図。
【図６】同携帯電話機の主要部を抽出して示したブロック図。
【図７】電話をかける際のシーケンスフロー図。
【図８】保留処理動作の他の例を示すシーケンスフロー図。
【図９】同携帯電話システムにおける保留動作例２のシーケンスフロー図。
【図１０】再生設定変更例に係る処理を行うための携帯電話システムの全体構成を説明するための説明図。
【図１１】同携帯電話システムを構成する保留音サーバのハードウェア構成を示す概略構成図。
【図１２】同再生設定変更例に係る再生設定変更処理のシーケンスフロー図。
【符号の説明】
【００５３】
１０  有線通信網
１１Ａ，１１Ｂ  基地局
１２Ａ，１２Ｂ  交換機
１３  保留音サーバ
２０Ａ，２０Ｂ  携帯電話機
１０１  制御装置
１０４  記憶装置
２１３  操作部
２１５  主制御部
【図１】
2006067048.tif 000003
【図２】
2006067048.tif 000004
【図３】
2006067048.tif 000005
【図４】
2006067048.tif 000006
【図５】
2006067048.tif 000007
【図６】
2006067048.tif 000008
【図７】
2006067048.tif 000009
【図８】
2006067048.tif 000010
【図９】
2006067048.tif 000011
【図１０】
2006067048.tif 000012
【図１１】
2006067048.tif 000013
【図１２】
2006067048.tif 000014